【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
複数の撮影手段と、
前記複数の撮影手段がそれぞれ有する撮影領域を表現する撮影領域情報に基づき、前記複数の撮影手段により撮影対象を撮影するための新たな撮影領域を表現する撮影領域情報を生成する生成手段と、
前記生成手段が生成した各撮影領域情報を用いて前記各撮影手段の撮影領域を制御する制御手段と
を有することを特徴とする会議記録装置。
【請求項２】
複数の照明手段と、
前記複数の照明手段がそれぞれ有する照明領域を表現する照明領域情報に基づき、前記複数の照明手段により撮影対象を照明するための新たな照明領域を表現する照明領域情報を生成する生成手段と、
前記生成手段が生成した各照明領域情報を用いて前記各照明手段の照明領域を制御する制御手段と
を有することを特徴とする会議記録装置。
【請求項３】
複数の音響収録手段と、
前記複数の音響収録手段のそれぞれが有する音響収録領域に基づき、前記複数の音響収録手段により音響情報を収録するための新たな音響収録領域を表現する音響収録領域情報を生成する生成手段と、
前記生成手段が生成した各音響収録領域情報を用いて前記各音響収録手段の音響収録領域を制御する制御手段と
を有することを特徴とする会議記録装置。
【請求項４】
前記会議記録装置は更に、
複数の照明手段を有し、
前記生成手段は、前記複数の照明手段がそれぞれ有する照明領域を表現する照明領域情報に基づき、前記複数の照明手段により撮影対象を照明するための新たな照明領域を表現する照明領域情報を生成し、
前記制御手段は、前記生成手段が生成した各照明領域情報を用いて前記各照明手段の照明領域を制御することを特徴とする請求項１記載の会議記録装置。
【請求項５】
前記会議記録装置は更に、
複数の音響収録手段を有し、
前記生成手段は、前記複数の音響収録手段のそれぞれが有する音響収録領域に基づき、前記複数の音響収録手段により音響情報を収録するための新たな音響収録領域を表現する音響収録領域情報を生成し、
前記制御手段は、前記各音響収録領域情報を用いて前記各音響収録手段の音響収録領域を制御することを特徴とする請求項１または請求項４記載の会議記録装置。
【請求項６】
前記生成手段は、前記各撮影手段、前記各照明手段および前記各音響収録手段をそれぞれ時間的に排他制御するように前記各撮影領域情報、前記各照明領域情報および前記音響収録領域情報を生成することを特徴とする請求項５記載の会議記録装置。
【請求項７】
前記生成手段は、前記各撮影手段で撮影した映像を用いて前記各撮影領域情報、前記各照明領域情報または前記各音響収録領域情報を生成することを特徴とする請求項５又は６に記載の会議記録装置。
【請求項８】
前記生成手段は、前記撮影手段で撮影された映像中の人物が存在する領域に基づいて前記各撮影領域情報、前記各照明領域情報または前記各音響収録領域情報を生成することを特徴とする請求項７記載の会議記録装置。
【請求項９】
前記生成手段は、前記撮影手段で撮影された映像中の人物相互の見詰め合いまたは人物のホワイトボードへの凝視を検出し、該検出結果を用いて前記各撮影領域情報、前記各照明領域情報または前記各音響収録領域情報を生成することを特徴とする請求項７記載の会議記録装置。
【請求項１０】
前記生成手段は、前記各音響収録手段で収録した音響情報を用いて前記各撮影領域情報、前記各照明領域情報または前記各音響収録領域情報を生成することを特徴とする請求項７から請求項９のいずれか一項に記載の会議記録装置。
【請求項１１】
前記生成手段は、前記音響収録手段で収録した音響情報を用いて推定された音源位置から前記各撮影領域情報、前記各照明領域情報または前記各音響収録領域情報を生成することを特徴とする請求項１０記載の会議記録装置。
【請求項１２】
前記生成手段は、前記各撮影手段の位置情報、前記照明手段の位置情報または前記音響収録手段の位置情報を用いて、前記撮影領域情報、前記照明領域情報または前記音響収録領域情報を生成することを特徴とする請求項７から請求項１１のいずれか一項に記載の会議記録装置。
【請求項１３】
前記生成手段は、第１の時点における前記各撮影領域情報、前記各照明領域情報および前記各音響収録領域情報を用いて、第１の時点の次の第２の時点の前記各撮影領域情報、前記各照明領域情報または前記各音響収録領域情報を生成することを特徴とする請求項７から請求項１２のいずれか一項に記載の会議記録装置。
【請求項１４】
前記会議記録装置は更に、前記各生成手段が生成した撮影領域情報、照明領域情報または音響収録領域情報を他の生成手段との間で送受信する通信手段を有することを特徴とする請求項７から請求項１２のいずれか一項に記載の会議記録装置。
【請求項１５】
複数の撮影手段がそれぞれ有する撮影領域を表現する撮影領域情報に基づき、前記複数の撮影手段により撮影対象を撮影するための新たな撮影領域を表現する撮影領域情報を生成する生成ステップ、
複数の照明手段がそれぞれ有する照明領域を表現する照明領域情報に基づき、前記複数の照明手段により撮影対象を照明するための新たな照明領域を表現する照明領域情報を生成する生成ステップ、
複数の音響収録手段のそれぞれが有する音響収録領域に基づき、前記複数の音響収録手段により音響情報を収録するための新たな音響収録領域を表現する音響収録領域情報を生成する生成ステップ、
前記各生成ステップで生成した各撮影領域情報、各照明領域情報および各音響収録領域情報を用いて前記各撮影手段の撮影領域、前記各照明手段の照明領域および前記各音響収録手段の音響収録領域を制御する制御ステップをコンピュータに実行させるためのプログラム。
【手続補正２】
【補正対象書類名】明細書
【補正対象項目名】０００９
【補正方法】変更
【補正の内容】
【０００９】
上記課題を解決するために、本発明は、請求項１に記載のように、複数の撮影手段と、前記複数の撮影手段がそれぞれ有する撮影領域を表現する撮影領域情報に基づき、前記複数の撮影手段により撮影対象を撮影するための新たな撮影領域を表現する撮影領域情報を生成する生成手段と、前記生成手段が生成した各撮影領域情報を用いて前記各撮影手段の撮影領域を制御する制御手段とを有することを特徴とする会議記録装置である。請求項１記載の発明によれば、各撮影手段が撮影対象を協調して撮影するように各撮影手段の撮影領域を表現する撮影領域情報を生成し、各撮影領域情報を用いて各撮影手段の撮影領域を制御するので、冗長性の少ない複数の映像を得ることができる。
【手続補正３】
【補正対象書類名】明細書
【補正対象項目名】００１０
【補正方法】変更
【補正の内容】
【００１０】
本発明は、請求項２に記載のように、複数の照明手段と、前記複数の照明手段がそれぞれ有する照明領域を表現する照明領域情報に基づき、前記複数の照明手段により撮影対象を照明するための新たな照明領域を表現する照明領域情報を生成する生成手段と、前記生成手段が生成した各照明領域情報を用いて前記各照明手段の照明領域を制御する制御手段とを有することを特徴とする会議記録装置である。請求項２記載の発明によれば、各照明手段が撮影対象を協調して照明するように各照明手段の照明領域を表現する照明領域情報を生成し、各照明領域情報を用いて各照明手段の照明領域を制御するので、冗長性の少ない複数の照明が可能となる。
【手続補正４】
【補正対象書類名】明細書
【補正対象項目名】００１１
【補正方法】変更
【補正の内容】
【００１１】
本発明は、請求項３に記載のように、複数の音響収録手段と、前記複数の音響収録手段のそれぞれが有する音響収録領域に基づき、前記複数の音響収録手段により音響情報を収録するための新たな音響収録領域を表現する音響収録領域情報を生成する生成手段と、前記生成手段が生成した各音響収録領域情報を用いて前記各音響収録手段の音響収録領域を制御する制御手段とを有することを特徴とする会議記録装置である。請求項３記載の発明によれば、各音響収録手段が協調して音響情報を収録するように各音響収録手段の音響収録領域を表現する音響収録領域情報を生成し、各音響収録領域情報を用いて各音響収録手段の音響収録領域を制御するので、冗長性の少ない複数の音響情報の収録が可能となる。
【手続補正５】
【補正対象書類名】明細書
【補正対象項目名】００１２
【補正方法】変更
【補正の内容】
【００１２】
本発明は、請求項４に記載のように、請求項１記載の会議記録装置において、更に、複数の照明手段を有し、前記生成手段は、前記複数の照明手段がそれぞれ有する照明領域を表現する照明領域情報に基づき、前記複数の照明手段により撮影対象を照明するための新たな照明領域を表現する照明領域情報を生成し、前記制御手段は、前記生成手段が生成した各照明領域情報を用いて前記各照明手段の照明領域を制御することを特徴とする。請求項４記載の発明によれば、各照明手段が撮影対象を協調して照明するように各照明手段の照明領域を表現する照明領域情報を生成し、各照明領域情報を用いて各照明手段の照明領域を制御するので、冗長性の少ない複数の照明が可能となる。
【手続補正６】
【補正対象書類名】明細書
【補正対象項目名】００１３
【補正方法】変更
【補正の内容】
【００１３】
本発明は、請求項５に記載のように、請求項１または請求項４記載の会議記録装置において、更に、複数の音響収録手段を有し、前記生成手段は、前記複数の音響収録手段のそれぞれが有する音響収録領域に基づき、前記複数の音響収録手段により音響情報を収録するための新たな音響収録領域を表現する音響収録領域情報を生成し、前記制御手段は、前記各音響収録領域情報を用いて前記各音響収録手段の音響収録領域を制御することを特徴とする。請求項５記載の発明によれば、各音響収録手段が協調して音響情報を収録するように各音響収録手段の音響収録領域を表現する音響収録領域情報を生成し、各音響収録領域情報を用いて各音響収録手段の音響収録領域を制御するので、冗長性の少ない複数の音響情報の収録が可能となる。
【手続補正７】
【補正対象書類名】明細書
【補正対象項目名】００１４
【補正方法】変更
【補正の内容】
【００１４】
本発明は、請求項６に記載のように、請求項５記載の会議記録装置において、前記生成手段は、前記各撮影手段、前記各照明手段および前記各音響収録手段をそれぞれ時間的に排他制御するように前記各撮影領域情報、前記各照明領域情報および前記音響収録領域情報を生成することを特徴とする。請求項６記載の発明によれば、時間的な排他制御が可能となり、全体の制御が容易となる。制御中以外のものを固定することで時間的な排他制御が可能となる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明は、請求項７に記載のように、請求項５又は６に記載の会議記録装置において、前記生成手段は、前記各撮影手段で撮影した映像を用いて前記各撮影領域情報、前記各照明領域情報または前記各音響収録領域情報を生成することを特徴とする。請求項７記載の発明によれば、各撮影手段で撮影された映像を用いて会議室内の事情を考慮した撮影領域情報、照明領域情報または音声領域情報を生成できる。
【手続補正１３】
【補正対象書類名】明細書
【補正対象項目名】００２０
【補正方法】変更
【補正の内容】
【００２０】
本発明は、請求項８に記載のように、請求項７記載の会議記録装置において、前記生成手段は、前記撮影手段で撮影された映像中の人物が存在する領域に基づいて前記各撮影領域情報、前記各照明領域情報または前記各音響収録領域情報を生成することを特徴とする。請求項８記載の発明によれば、人物の存在を考慮した空間的な排他制御が可能となる。これにより冗長性の少ない映像が得られる。
【手続補正１４】
【補正対象書類名】明細書
【補正対象項目名】００２１
【補正方法】変更
【補正の内容】
【００２１】
本発明は、請求項９に記載のように、請求項７記載の会議記録装置において、前記生成手段は、前記撮影手段で撮影された映像中の人物相互の見詰め合いまたは人物のホワイトボードへの凝視を検出し、該検出結果を用いて前記各撮影領域情報、前記各照明領域情報または前記各音響収録領域情報を生成することを特徴とする。請求項９記載の発明によれば、人物相互の見詰め合いまたは人物のホワイトボードへの凝視を含んだ映像を取得することができる。
【手続補正１５】
【補正対象書類名】明細書
【補正対象項目名】００２２
【補正方法】変更
【補正の内容】
【００２２】
本発明は、請求項１０に記載のように、請求項７から請求項９のいずれか一項に記載の会議記録装置において、前記生成手段は、前記各音響収録手段で収録した音響情報を用いて前記各撮影領域情報、前記各照明領域情報または前記各音響収録領域情報を生成することを特徴とする。請求項１０記載の発明によれば、音響収録手段で収録した音響情報を考慮した撮影領域情報、照明音響収録領域情報を生成できる。
【手続補正１６】
【補正対象書類名】明細書
【補正対象項目名】００２３
【補正方法】変更
【補正の内容】
【００２３】
本発明は、請求項１１に記載のように、請求項１０記載の会議記録装置において、前記生成手段は、前記音響収録手段で収録した音響情報を用いて推定された音源位置から前記各撮影領域情報、前記各照明領域情報または前記各音響収録領域情報を生成することを特徴とする。請求項１１記載の発明によれば、音源位置から人物の存在を検出し、人物の存在を考慮した空間的な排他制御が可能となる。これにより冗長性の少ない映像が得られる。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
本発明は、請求項１２に記載のように、請求項７から請求項１１のいずれか一項に記載の会議記録装置において、前記生成手段は、前記各撮影手段の位置情報、前記照明手段の位置情報または前記音響収録手段の位置情報を用いて、前記撮影領域情報、前記照明領域情報または前記音響収録領域情報を生成することを特徴とする。請求項１２記載の発明によれば、各撮影手段の位置情報、照明手段の位置情報または音響収録手段の位置情報を考慮した妥当な撮影領域情報、照明領域情報または音響収録領域情報の生成が可能となる。
【手続補正２０】
【補正対象書類名】明細書
【補正対象項目名】００２７
【補正方法】変更
【補正の内容】
【００２７】
本発明は、請求項１３に記載のように、請求項７から請求項１２いずれか一項に記載の会議記録装置において、前記生成手段は、第１の時点における前記各撮影領域情報、前記各照明領域情報および前記各音響収録領域情報を用いて、第１の時点の次の第２の時点の前記各撮影領域情報、前記各照明領域情報または前記各音響収録領域情報を生成することを特徴とする。請求項１３記載の発明によれば、第２の時点の撮影領域情報、照明領域情報または音響領域情報は、第１の時点の撮影領域情報、照明領域情報または音響領域情報により決定される。
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】変更
【補正の内容】
【００３４】
本発明は、請求項１４に記載のように、請求項７から請求項１２のいずれか一項に記載の会議記録装置において、前記会議記録装置は更に、前記各生成手段が生成した撮影領域情報、照明領域情報または音響収録領域情報を他の生成手段との間で送受信する通信手段を有することを特徴とする。請求項１４記載の発明によれば、通信手段により各生成手段が生成した撮影領域情報、照明領域情報または音響収録領域情報を他の生成手段との間で送受信できる。
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】変更
【補正の内容】
【００４０】
本発明は、請求項１５に記載のように、複数の撮影手段がそれぞれ有する撮影領域を表現する撮影領域情報に基づき、前記複数の撮影手段により撮影対象を撮影するための新たな撮影領域を表現する撮影領域情報を生成する生成ステップ、  複数の照明手段がそれぞれ有する照明領域を表現する照明領域情報に基づき、前記複数の照明手段により撮影対象を照明するための新たな照明領域を表現する照明領域情報を生成する生成ステップ、複数の音響収録手段のそれぞれが有する音響収録領域に基づき、前記複数の音響収録手段により音響情報を収録するための新たな音響収録領域を表現する音響収録領域情報を生成する生成ステップ、前記各生成ステップで生成した各撮影領域情報、各照明領域情報および各音響収録領域情報を用いて前記各撮影手段の撮影領域、前記各照明手段の照明領域および前記各音響収録手段の音響収録領域を制御する制御ステップをコンピュータに実行させるためのプログラムである。請求項１５記載の発明によれば、冗長性の少ない複数の映像を得ることができる。
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】